(57)【要約】活性化物質により可変液体要素中の相変化を開始するために用いられるトリガー機構。トリガー機構はまた、容器中の少なくとも一つの穿孔、活性化物質、及び活性化物質を穿孔と接触させるための可動障壁手段と共に、容器の中に入れられた可変液体要素に関する。
2004530549.tif 000002
【特許請求の範囲】
【請求項１】
可変液体要素中の相変化を開始するトリガー機構であって：
ａ）少なくとも一つの壁を有する容器中に入れられた可変液体要素；
ｂ）前記容器の前記壁の外部に位置付けられた活性化物質；
ｃ）前記容器の壁の少なくとも一つの穿孔；
ｄ）前記活性化物質を前記穿孔に接触させるための可動障壁手段；
を備え、ユーザーにより前記可動障壁手段が始動されるまで、前記可変液体要素中の前記相変化が活性化されないように、前記可動障壁手段が前記活性化物質を前記穿孔から隔離する、トリガー機構。
【請求項２】
前記可動障壁手段が折り畳みタブを更に備え、前記折り畳みタブ上に前記活性化物質が、印刷、コーティング、スプレーされるか、又はそれらいずれかの組み合わせをされており；前記折り畳みタブは、前記穿孔を覆って、前記容器に外部から結合しており、及び前記折り畳みタブは前記活性化物質を前記穿孔から隔離する、請求項１に記載のトリガー機構。
【請求項３】
前記容器が製品を更に含有し、前記可変液体要素中の前記相変化が前記製品に温度変化を提供する、請求項１に記載のトリガー機構。
【請求項４】
前記可変液体要素が過冷却塩溶液である、請求項１に記載のトリガー機構。
【請求項５】
前記穿孔が、穿刺、穴、スリット、割れ目、裂け目、又はそれらいずれかの組み合わせである、請求項１に記載のトリガー機構。
【請求項６】
可変液体要素中の相変化を開始するトリガー機構であって、折り畳みタブ上に印刷、コーティング、スプレーされるか、又はそれらいずれかの組み合わせをされた活性化物質を備え、前記折り畳みタブは、少なくとも一つの壁を有する容器に外部から結合しており、前記壁には少なくとも一つの穿孔があり、前記容器は可変液体要素をその中に更に入れており、ユーザーにより前記折り畳みタブが作動され、それにより前記活性化物質を前記穿孔と接触させ、及び前記可変液体要素中の相変化を開始するまで、前記活性化物質は前記折り畳みタブにより、前記穿孔から隔離されている、トリガー機構。
【請求項７】
前記可変液体要素が過冷却塩溶液である、請求項５に記載のトリガー機構。
【請求項８】
前記容器が製品を更に備え、前記可変液体要素中の前記相変化が前記製品に温度変化を提供する、請求項６に記載のトリガー機構。
【発明の詳細な説明】
【技術分野】
【０００１】
本発明は、活性化物質により可変液体要素中の相変化を開始する、トリガー機構に関する。トリガー機構はまた、容器中の少なくとも一つの穿孔、活性化物質、及び活性化物質を穿孔と接触させるための可動障壁手段と共に、容器の中に入れられた可変液体要素に関する。
【背景技術】
【０００２】
物質には三つの本質的状態−気体、液体、及び固体があると一般に言われている。三つの状態の間での転移は一般に阻害されないが、時には外部の力が転移を開始させることもある。例えば、過冷却溶液と呼ばれる幾つかの液体は、液体から結晶性固体への転移を開始するための種結晶を必要とする。
【０００３】
熱を提供するための過冷却溶液の使用は、当該技術分野において周知である。塩の種類によっては一旦溶液に融解すると、塩の融点未満の温度でも液体のままである。固化の際に、これらの過冷却溶液は熱を放出する。典型的には、こうした過冷却溶液を作成するためには水／塩の組み合わせが用いられる。熱の伝達を開始するために、過冷却溶液は固化を始めなくてはならない。固化を開始する幾つかの技術は既知である。
【０００４】
固化を開始する一つの方法は、結晶又は別の種類の核粒子を過冷却溶液中に導入することである。この型の開始のために先に提案された形態には、過冷却溶液中に設置されいて、通常は穴又はスリットを有する柔軟性のある金属ストリップの使用が挙げられる。例は、米国特許第４，０７７，３９０号、米国特許第４，３７９，４４８号、米国特許第４，４６０，５４６号、米国特許第４，５７２，１５８号、米国特許第５，７３６，１１０号、及び米国特許第５，９１５，４６１号に説明されている。摩擦動作により結晶化を開始する、らせん状に巻かれた弾力性金属フィラメントの使用により、十分に固化が開始されることが、米国特許第４，８２９，９８０号で論じられている。これらの開始技術は、ユーザーによる、より容易な活性化のために、溶液中の特定位置に一般に限定されている。
【０００５】
過冷却溶液の固化開始させるその他の形態には、過冷却溶液中に空気を入れ、それにより結晶化を開始させる穿孔装置が挙げられ、これは米国特許第５，３０５，７３３号、及び米国特許第５，６６２，０９６号を参照のこと。核粒子をコーティングすること、及びコーティングされた核粒子を過冷却溶液中に直接設置することは、米国特許第６，１０３，１３９号で論じられている。
【発明の開示】
【発明が解決しようとする課題】
【０００６】
開始させるための各々の形態は、本発明により解決される欠点を有する。過冷却溶液中に核粒子又は装置を包含することは、過冷却溶液の固化の早過ぎる開始という結果を招き、これは結果として信頼性がないことになる。穿刺方法はまた、製品の輸送又は保管中に穿刺力が偶然作動する可能性があるため、信頼性がない傾向がある。過冷却溶液が別の製品を加熱するために用いられる場合には、製品の汚染が望ましくないので、穿刺方法もまた望ましくない。従って、核粒子のような活性化物質を通して液体の相変化を開始するための、安全で信頼性のある機構への要求が依然としてある。
【課題を解決するための手段】
【０００７】
本発明は、活性化物質により可変液体要素中の相変化を開始する、トリガー機構に関する。トリガー機構はまた、少なくとも一つの壁を有する容器の中に入れられた可変液体要素、可変液体要素の容器の外部に位置付けられた活性化物質、容器の壁中に少なくとも一つの穿孔、及び活性化物質を穿孔に接触させるための可動障壁手段に関する。ユーザーにより可動障壁手段が始動されるまで可変液体要素が活性化されないように、可動障壁手段は穿孔を封孔し、及び穿孔及び活性化物質を隔離する。
【０００８】
本発明の上記及びその他の特徴、態様、利益、及び変形は、本開示を読むことにより当業者に明らかになる。
【発明を実施するための最良の形態】
【０００９】
本明細書の全てのパーセント、割合、及び比率は、特に指定しない限り、最終組成物の重量による。特に指定しない限り、温度は全て摂氏（℃）による。引用した全ての文書はその全文を参考として本明細書に組み入れられる。いずれの参考文献の引用も、特許請求されている本発明に対する、先行技術としての利用可能性についてのいかなる決定に関しても容認しない。
【００１０】
（可変液体要素）
本明細書で使用される可変液体要素とは、種結晶又はその他の核粒子により活性化された場合に、色、温度、相、及び／又は別の物理特性を変化させるいかなる物質も意味する。例は、核粒子により開始されることが可能な過冷却塩溶液である。ギ酸ナトリウム（ＨＣＯＯＮａ）、ギ酸カリウム（ＨＣＯＯＫ）、酢酸ナトリウム（ＣＨ３ＣＯＯＮａ）、酢酸マグネシウム［（ＣＨ３ＣＯＯ）２Ｍｇ］、硝酸カリウム（ＫＮＯ３）、硝酸カルシウム［Ｃａ（ＮＯ３）２］、チオ硫酸ナトリウム（Ｎａ２Ｓ２Ｏ３）、リン酸水素二カリウム（Ｋ２ＨＰＯ４）、及び尿素［（ＮＨ２）２ＣＯ］、又はいかなるその他の類似の塩、並びにそれらの混合物が好適な塩の例である。可変液体要素はまた、米国特許第４，３３１，５５６号で論じられているもののような、反応速度を制御する添加物を包含してもよい。米国特許第４，３３１，５５６号は、結晶化物質を、結晶化物質と共に準安定性固体を形成する特性を有する液体添加物と共に混ぜ合わせる方法を開示する。液体添加物が溶離すると、結晶性集合体は弱体化し、小さい断片に容易に分解する。液体添加物物質は、一価アルコール、ジオール、及びトリオールを包含してもよい。液体添加物物質は、結晶化される液体中に少量で包含されてもよく、その量は２パーセント（２％）〜５パーセント（５％）が典型的である。溶液中の液体添加物物質の量及び相対的準安定性は、過冷却流体が結晶化する際に最終的に生成される結晶の大きさを制御する一因となる。準安定性固溶体の特徴、溶離プロセス、及び溶離した結晶集合体の質感を変更するために、少量の界面活性物質がまた包含されてもよい。
【００１１】
可変液体要素に加えることができるその他の物質は、米国特許ＲＥ０３５５８６、又は米国特許第５，０６５，５９８号で論じられているもののようなゲル化剤であり、これらの特許は、天然ゴム、合成ゴム、及びゴム様物質、例えばゼラチン；セルロース誘導体、例えばメチルセルロース及びカルボキシメチルセルロースナトリウム塩；超吸収体、例えば加水分解アクリロニトリルグラフトデンプン；溶液中で水和可能及び架橋可能である合成ポリマー又はコポリマー、例えばポリアクリレート、及びＢ．Ｆ．グッドリッチ・ケミカル社（B.F.Goodrich Chemical Company）からカルボマー（CARBOMER（商標））として既知のポリアリルスクロース及びアクリル酸のコポリマー；ポリエチレングリコール、及び当該技術分野において既知のいかなるその他の類似添加物、並びにそれらの混合物から成る群から選択される一以上の物質の使用について教示している。
【００１２】
（容器）
本発明のトリガー機構は、可変液体要素を保持する、又は可変液体要素及び別の製品を含有する容器と共に望ましくは用いられる。容器は、可変液体要素を活性化するために、可変液体要素の少なくとも一部分に外側表面を通して圧力を適用できる壁のような、変形不可能な又は一般に柔軟性のある及び／又は変形可能な一以上の外側表面を有する、いかなる容器を含んでもよい。容器は、例えば柔軟性のある瓶、柔軟性のある管、柔軟性のある小型容器、小袋、袋、自立型袋、柔軟性のある熱成形容器、紙箱などを含んでもよい。容器は、一以上の高分子材料、金属化構造体、積層構造体、裏打ちした板紙、共押出フィルムなどから構成されてもよい。
【００１３】
可変液体要素が温度変化を提供する場合には、容器はまた断熱材の何らかの形態、例えば内部の可変液体要素から容器の外部を断熱し、及び温度変化の効率を増加させる断熱材層を包含してもよい。断熱層は容器の外部表面及び／又は内部表面の実質的に全体に広がってもよく、可変液体要素のおよその大きさに対応する、容器の外部及び／又は表面の少なくとも一部分に広がってもよく、温度変化のプロセスの間に消費者が触れる可能性のある外側容器の外部及び／又は内部の一部分を覆ってもよい。断熱層は、別個に取り付けられる層であってもよく、共押出構造体又は積層構造体のように、容器を形成する材料の一体部分であってもよい。可能な断熱材の例には、発泡ポリエチレン、シリコンゴム、繊維性セルロース構造体、又は、断熱材としてエアポケットを提供するための正確な厚さを有するディンプル熱形成フィルム（大量の空隙空間を有する格子）などが挙げられるが、これらに限定されない。
【００１４】
容器は、当該技術分野において既知のいかなる方法で形成及び／又は密封されてもよい。例えば、ポリマーフィルムから形成される外側容器は、ヒートシーリング、超音波結合、高周波結合、接着剤結合などの内の一以上により密封されてもよい。
【００１５】
容器が、液体、シャンプー、オイル、ワックス、皮膚軟化剤、ローション、保湿剤、薬剤、ペースト、界面活性剤、ジェル、接着剤、懸濁液、溶液、酵素、石鹸、化粧品、塗布薬、飲料、スープ、チーズ、流動性粒子状物質などのような製品に温度変化を提供するために用いられる場合には、容器の外部表面はまた、パッケージに含有される製品に関連する機能を実行するために用いられることができる有用な層を包含してもよい。例えば、ヘアトリートメント製品を含有する容器は、頭髪の毛嚢上への製品の分配を助けるために、外側容器の外側表面上に、荒毛又は歯を包含してもよい。スキンローションを含有する容器は、ローションが適用される前か後に、ユーザーの皮膚を剥離させるために用いられ得る研磨表面を包含してもよい。容器はまた、製品が適用された対象表面から製品を除去するのを促進させる吸収性構造体を包含してもよい。
【００１６】
別の実施形態では、容器は、製品の使用又は分配を助ける装置に取り付けられるか、又は装置内に収容されてもよい。例えば、ヘアトリートメント製品の場合、容器は、ヘアトリートメントを頭髪の毛嚢に広げるヘアブラシ内又は櫛内に収容されてもよい。あるいは、洗浄溶液を有する容器は、容器から製品を用いて対象表面を擦るために用いられ得るスポンジ、ブラシ、ワイプ、研磨擦り用具などの内側に収容されてもよい。
【００１７】
容器は、任意の開口手段を更に包含してもよい。例えば、開口手段は、脆い封、穿孔、開封帯、ジップロック（ZIPLOCK（商標））などのような破断可能障壁であってもよいが、これらに限定されない。あるいは、製品を使用する際に容器は切り開かれてもよい。開口部はまた、可変液体要素が他の方法で容器内に付着されるか、又は拘束されていない場合に、製品が分配される時に可変液体要素が容器から出るのを防止するような大きさ又は設計にされていてもよい。例えば、開口部は、使用中に可変液体要素が容器から出るのを防止するための先細の投与導管を包含してもよい。容器はまた、製品の分配を助けるための放出口、塗布器先端、スプレーヘッドなどのような分配付属品を包含してもよい。
【００１８】
（穿孔）
穿孔は、容器の少なくとも一つの壁に形成される。穿孔は、容器の壁を熱い針、冷たい針で刺し通すこと、真空成形、又は高圧ウォータージェット成形、若しくは当該技術分野において既知のいかなるその他の方法により容器の壁に形成することができる、穿刺、穴、スリット、割れ目、裂け目、又はいかなるその他の類似の開口部である。
【００１９】
（活性化物質）
本明細書で使用する時、活性化物質とは、可変液体要素と接触した場合に、望ましい物理特性の変化を生じることができる、核粒子又は種結晶を意味する。活性化物質は、容器の壁に含有される穿孔を通して可変液体要素と接触させられる。好ましい活性化物質は、可変液体要素と同じ物質を含む結晶である。活性化物質は、以下に論じられるように、可動障壁手段により、容器の壁の穿孔から隔離した状態に保たれる。
【００２０】
（可動障壁手段）
本発明の可動障壁手段は、ユーザーにより作動された場合に、可変液体要素の相変化を開始する装置である。可動障壁手段は、圧力、又は動きのような事象が可動障壁手段を作動させるまで、作動しない状態のままである。可動障壁手段の目的は、可変液体要素を活性化物質から隔離することである。
【００２１】
可動障壁手段は、可動障壁手段が活性化物質を外部接触から保護し、並びに取り外し可能な障壁を容器の壁の穿孔に提供するように、容器外部に位置付けられる。例えば、可動障壁手段はユーザーにより作動される折り畳みタブを備えてもよい。可動障壁手段は、接着剤又はその他の好適な封孔手段により、容器の壁の穿孔を封孔し、及び同時に活性化物質を可変液体要素から隔離する。ユーザーが可動障壁手段を作動すると、可動障壁手段が開き、活性化物質を容器の壁の穿孔に接触させる。
【００２２】
活性化物質は、可動障壁手段の区分上に印刷、コーティング、スプレーされるか、又はさもなければ溶着されてもよい。可動障壁手段は、活性化物質が容器の壁の穿孔に接触しないように、次に折り畳まれるか、又は向きを合わせられる。同様に、活性化物質は可動障壁手段の外側表面上で接触されるべきではない。可動障壁手段は、ユーザーが容易に引き裂くか又は開けることができるように、ミシン目が入れられるか、又は切り込み線が入れられてもよい。可動障壁手段は、可変液体要素を保持する容器の壁の穿孔を覆って設置される。可動障壁手段は、活性化物質が穿孔と接触するように、引っ張ること又は持ち上げることにより作動されてもよい。
【００２３】
図１、２、及び３に示される、可動障壁手段２０の一つの好ましい実施形態では、可動障壁手段２０は一要素の材料、例えばプラスチック積層板、又はその他の好適な材料から製造され、外側カバー２２、内側カバー２４、及びプルタブ２６を備える。活性化物質２８は外側カバー２２の一部分に位置付けられている。内側カバー２４は、プルタブ２６の両側から外側カバー２２の方へ内側カバー２４を通って伸びる、垂直な引き裂き域３０を含有する。垂直な引き裂き域３０は、好ましくは水平な引き裂き域３２で終了する。水平な引き裂き域は好ましくは折り目３４の一部分を含む。折り目３４は、外側カバー２２と内側カバー２４の間に位置付けられる。
【００２４】
外側カバー２２は、折り目３４に沿って、内側カバー２４の上に、及び部分的にはプルタブ２６の上に折り畳まれる；図２参照。従って、活性化物質２８は外側カバー２２と内側カバー２４の間に位置付けられ、及びユーザーが可動障壁手段２０の始動を望むまで、隔離されたままでいる。可動障壁手段２０は、容器５６中に穿孔６０を有する容器５６に好ましくは取り付けられる。
【００２５】
可動障壁手段２０は、ユーザーがプルタブ２６を水平な動きで引っ張ると、作動される。垂直な引き裂き域３０、及び水平な引き裂き域３２は切断され、及び活性化物質２８は容器５６中の穿孔６０に接触する。
【００２６】
図４、５、及び６に示される、可動障壁手段１２０の別の好ましい実施形態は、プラスチック積層板又はその他の好適な材料のような一要素の材料を含み、これは三つの区分から構成される。第一の区分である、カバー１３６は、好ましくは本質的には長方形であるが、いかなる好適な形状でもよく、三つの区分の中で最大である。
【００２７】
カバー１３６は、折り目１４４により第二の区分から隔てられている。第二の区分は、二つの小区分、王冠状領域１３８ａ、及び中心領域１３８ｂを含み、これらは「Ｔ」形に向き合っている。王冠状領域１３８ａ及び中心領域１３８ｂは、折り目１４６により隔てられている。王冠状領域１３８ａは、中心領域１３８ｂの両側から王冠状領域１３８ａを通って伸び、及び好ましくは折り目１４４で終了する、垂直な引き裂き域１３０を含有する。
【００２８】
中心領域１３８ｂは、折り目１４２により、第三の区分から隔てられている。第三の区分は、二つの小区分、先端領域１４０ａ及び中央領域１４０ｂを含み、これらもまた「Ｔ」形構造に向き合っている。先端領域１４０ａ及び中央領域１４０ｂは、折り目１４８により隔てられている。先端領域１４０ａは、中央領域１４０ｂの両側から先端領域１４０ａを通って伸び、及び好ましくは折り目１４８で終了する、垂直な引き裂き域１３０を含有する。
【００２９】
活性化物質１２８は、カバー１３６及び王冠状領域１３８ａの一部分を包含する領域上に好ましくは設置される。活性化物質１２８がカバー１３６と王冠状領域１３８ａの間に入るように、カバー１３６は次に折り目１４４に沿って、王冠状領域１３８ａの全体を覆うように折り畳まれる。王冠状領域１３８ａ及び中心領域１３８ｂは、図５に示されるように、カバー１３６が王冠状領域１３８ａの上に折り畳まれたのと反対方向に、折り目１４６に沿って折り畳まれる。同様に、先端領域１４０ａ及び中央領域１４０ｂは、図５に示されるように、折り目１４８に沿って折り目１４６と同じ方向に折り畳まれる。中心領域１３８ｂ及び中央領域１４０ｂは、折り目１４２を折り畳むことにより、一直線になるように向きを合わせられる。
【００３０】
図６に示される可動障壁手段１２０は、容器１５６の壁に穿孔１６０を有する容器１５６に好ましくは結合される。先端領域１４０ａを、穿孔１６０の片側及び穿孔１６０の全体を覆って位置付けられた王冠状領域１３８ａに取り付けることにより、可動障壁手段１２０は、穿孔１６０の全体を覆って容器１５６に結合する。可動障壁手段１２０は結果として、中央領域１４０ｂが先端領域１４０ａの上に重なり、中心領域１３８ｂが中央領域１４０ｂの上に重なり、王冠状領域１３８ａが中心領域１３８ｂの上に重なり、カバー１３６が王冠状領域１３８ａの上に重なることになる；図５参照。カバー１３６は、王冠状領域１３８ａの周囲の容器１５６に、好ましくは粘着して結合される。
【００３１】
可動障壁手段１２０は、ユーザーが中心領域１３８ｂ及び中央領域１４０ｂを水平方向に引っ張ると作動される。可動障壁手段１２０が作動されると、垂直な引き裂き域１３０は引き剥がされ、及び活性化物質１２８を容器１５６の穿孔１６０に接触する。
【００３２】
可動障壁手段２２０の別の好ましい実施形態が、図７及び８に示される。可動障壁手段２２０は、上部タブ２５０及び下部タブ２５２を備える。各タブは、プラスチック積層板又はいかなるその他のこうした好適な材料から構成される。活性化物質２２８は、下部タブ２５２の小領域に設置される。活性化物質２２８を有する小領域が容器の外側表面に接触しないように、下部タブ２５２は容器の第一の側面２５４に結合される。上部タブ２５０は、容器の第二の側面２５６に、上部タブ２５０と同じ領域に及び同じ向きに、粘着して結合される。可動障壁手段２２０は、図８に示されるように、ユーザーが容器の第二の側面２５６から上部タブ２５０を取り除き、及び活性化物質２２８が容器の第二の側面２５６中の穿孔２６０と接触するように、容器の端２５８の周りに下部タブ２５２を折り込むと作動される。
【００３３】
図９及び１０に示される、可動障壁手段３２０の別の好ましい実施形態は、二要素の材料、カバーテープ３６２及びベーステープ３６４を備える。テープは、プラスチック積層板又はその他の好適な材料から構成される。カバーテープ３６２は、その表面の一部分上に活性化物質３２８を印刷、コーティング、スプレーされるか、又はさもなければ溶着される。
【００３４】
ベーステープ３６４は、ユーザーがより容易に掴めるが、容器３５６に固定される領域をなお有する領域を作り出すために、折り目３６６に沿って好ましくは折り畳まれるが、こうした折り畳みは必須ではない。ベーステープ３６４は、次に容器３５６中の穿孔３６０の全体を覆って粘着して設置される。カバーテープ３６２は、次にベーステープ３６４の一部分を覆って容器３５６に接着される。可動障壁手段３２０は、ベーステープ３６４を容器３５６中の穿孔６０とカバーテープ３６２の間のその位置から取り除くように引っ張ること又は持ち上げることにより、作動され得る。
【００３５】
この好ましい実施形態は、あるいは図１１に示されるように、カバーテープ３６２がベーステープ３６４の上に重なったところに追加の折り目３７０を有する一体成形材料、例えばプラスチック積層板又はその他の好適な材料を含んでもよい。
【００３６】
本発明の好ましい実施形態は、本発明の範囲及び理解を制限しようとするものではないことは認識されている。
【図面の簡単な説明】
【００３７】
本明細書は本発明を特に指摘し、及び明確に請求する請求項でまとめているが、本発明は、添付図面の次の説明からよりよく理解されると考えられ、添付図面は必ずしも一定の比例で拡大されてはいない。
【図１】折り畳まれていない位置付けでの一要素構成を有するトリガー機構の一つの好ましい実施形態の平面図である。
【図２】図１に示された切断線２−２に沿って取られた、トリガー機構の容器上の側面図である。
【図３】図１に示されるトリガー機構の容器上の平面図である。
【図４】折り畳まれていない位置付けでの一要素構成を有する、一要素トリガー機構の別の好ましい実施形態の平面図である。
【図５】図４に示された切断線５−５に沿って取られた、トリガー機構の容器上の側面図である。
【図６】図４に示されているトリガー機構の容器上の平面図である。
【図７】パッケージの壁に穿孔を有するパッケージに取り付けられた、二要素トリガー機構の好ましい実施形態の付いた容器の部分図である。
【図８】活性化物質を容器の壁の穿孔に接触させるために、図６に示されているトリガー機構のベーステープを折り込んだ後の、ベーステープの図である。
【図９】折り畳まれていない位置付けでの、二要素トリガー機構の好ましい実施形態の平面図である。
【図１０】パッケージの壁に穿孔を有する容器に取り付けられた、二要素トリガー機構の好ましい実施形態の図である。
【図１１】図１０に示されているトリガー機構の、一要素構成の別の好ましい実施形態である。
【国際公開パンフレット】
2004530549.tif 000003
2004530549.tif 000004
2004530549.tif 000005
2004530549.tif 000006
2004530549.tif 000007
2004530549.tif 000008
2004530549.tif 000009
2004530549.tif 000010
2004530549.tif 000011
2004530549.tif 000012
2004530549.tif 000013
2004530549.tif 000014
2004530549.tif 000015
2004530549.tif 000016
2004530549.tif 000017
2004530549.tif 000018
2004530549.tif 000019
2004530549.tif 000020
2004530549.tif 000021
【国際調査報告】
2004530549.tif 000022
2004530549.tif 000023
2004530549.tif 000024